(57)【要約】【課題】機器に実装した後でも、撮像素子に関する情報を取得することができる固体撮像装置を提供する。【解決手段】パッケージ１１内にＣＣＤチップ１２と共に無線タグ１３を備えた。無線タグ１３は、ＣＣＤチップ１２に関する情報を記憶したメモリ１３ａと、メモリ１３ａに記憶されている情報をタグリーダなどに無線送信するためのアンテナ１３ｂとを内蔵している。無線タグ１３のメモリ１３ａには、ＣＣＤチップ１２の識別番号、製造番号、オーバフロードレイン電圧、リセット電圧、受光素子感度、欠陥画素個数、および欠陥画素アドレスが記憶されている。タグリーダなどを使用することにより、無線タグ１３のメモリ１３ａに記憶されているＣＣＤチップ１２に関する情報を無線通信により取得することができる。したがって、固体撮像装置１０をカメラや携帯電話機など機器に実装した後でも、ＣＣＤチップ１２に関する情報を取得することができる。【選択図】      図１
2004297613.tif 000002
【特許請求の範囲】
【請求項１】
撮像素子をパッケージ内に収容してなる固体撮像装置において、
前記撮像素子に関する情報を内部メモリに記憶した無線タグを内蔵したことを特徴とする固体撮像装置。
【請求項２】
前記無線タグは、
前記内部メモリを有するＩＣチップ部と、
前記内部メモリに記憶されている情報を外部装置に無線送信するためのアンテナ部とを備え、
前記ＩＣチップ部と前記アンテナ部は、互いに分離して配置されていることを特徴とする請求項１記載の固体撮像装置。
【請求項３】
前記情報には、
識別番号、製造番号、オーバフロードレイン電圧、リセット電圧、受光素子感度、欠陥画素個数、および欠陥画素アドレスのうちの何れかが含まれることを特徴とする請求項１または２記載の固体撮像装置。
【発明の詳細な説明】
【０００１】
【発明の属する技術分野】
本発明は固体撮像装置に関し、より詳細には、無線タグを内蔵した固体撮像装置に関する。
【０００２】
【従来の技術】
一般に、ＣＣＤ（Ｃｈａｒｇｅ  Ｃｏｕｐｌｅｄ  Ｄｅｖｉｃｅ）センサやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサなどの撮像素子には、欠陥画素が含まれていることが多いため、撮像素子のメーカは、自社で欠陥画素のチェックを行い、欠陥画素の個数やアドレスなど欠陥画素情報を、撮像素子供給先の機器メーカに提供している。また、欠陥画素画素情報とともに、オーバフロードレイン電圧、リセット電圧、受光素子感度など、撮像素子固有の調整値を情報提供する場合もある。
【０００３】
また、撮像素子にシリアルナンバを付けるとともに、それぞれのシリアルナンバと欠陥画素画素情報とを対応させた情報をフロッピーディスク（登録商標）などの記録媒体に保存し、その記録媒体を撮像素子に付属させて出荷する方法も実施されている。
【０００４】
また、撮像素子用とは限らないが、部品を収容した部品搬送ケースに、収容部品に関する情報を記憶した無線タグを取り付け、機器製造工程において非接触で部品に関する情報を読み取ることができるようにした技術も知られている。（特許文献１参照）
【０００５】
【特許文献１】
特開２０００−２７１８２０号公報
【０００６】
【発明が解決しようとする課題】
しかし、従来の技術では、撮像素子がカメラや携帯電話機など機器に実装した後においては、その撮像素子に付されているシリアルナンバを目視することができない。シリアルナンバは撮像素子の裏面に刻印されているため、機器に実装した場合、実装基板やその他の部品によってシリアルナンバが隠されてしまうのである。このため、撮像素子の実装後は、機器を分解してシリアルナンバを確認しない限り、その撮像素子の欠陥画素情報などを知ることはできない。
【０００７】
本発明は、このような従来技術の問題点に鑑み創案されたものであり、その目的は、機器に実装した後でも、撮像素子に関する情報を取得することができる固体撮像装置を提供することにある。
【０００８】
【課題を解決するための手段】
上記目的を達成するために、本発明の固体撮像装置は、撮像素子をパッケージ内に収容してなる固体撮像装置において、前記撮像素子に関する情報を内部メモリに記憶した無線タグを内蔵したものである。
【０００９】
この構成によれば、無線タグと無線通信することにより、無線タグの内部メモリに記憶されている撮像素子に関する情報を取得できるので、固体撮像装置を機器に実装した後でも、撮像素子に関する情報を取得することができる。
【００１０】
本発明の固体撮像装置において、前記無線タグは、前記内部メモリを有するＩＣチップ部と、前記内部メモリに記憶されている情報を外部装置に無線送信するためのアンテナ部とを備え、前記ＩＣチップ部と前記アンテナ部は、互いに分離して配置されていることが望ましい。
【００１１】
この構成によれば、撮像素子やＩＣチップ部などの設置位置に制約されることなく、アンテナ部を外部機器との無線通信に適した位置に配置することができる。
【００１２】
前記情報には、識別番号、製造番号、オーバフロードレイン電圧、リセット電圧、受光素子感度、欠陥画素個数、および欠陥画素アドレスのうちの何れかが含まれることが望ましい。
【００１３】
この構成によれば、固体撮像装置を機器に実装した後でも、撮像素子の識別番号、製造番号、オーバフロードレイン電圧、リセット電圧、受光素子感度、欠陥画素個数、および欠陥画素アドレスのうちの何れかを取得することができる。
【００１４】
【発明の実施の形態】
以下、本発明の実施の形態について説明する。
【００１５】
図１は本発明に係る固体撮像装置の構成例を示す断面図である。
この固体撮像装置１０は、合成樹脂製のパッケージ（筐体）１１内に、ＣＣＤチップ１２と無線タグ１３とを収容してなる。パッケージ１１の開口部１１ａは光を良好に透過するカバーガラス１４で閉塞されている。ＣＣＤチップ１２は、その受光部をカバーガラス１４に向けて、パッケージ１１の内底部（マウント部）１１ｂに固定されている。パッケージ１１の外周部には、ＣＣＤチップ１２の制御端子に接続された複数の接続端子１５が配置されている。接続端子１５には、この固体撮像装置１０が実装される機器のＣＣＤ駆動回路等が接続される。
【００１６】
無線タグ１３は、ＣＣＤチップ１２と共にパッケージ１１の内底面１１ｂに固定されている。無線タグ１３は、ＣＣＤチップ１２に関する情報を記憶したメモリ１３ａと、メモリ１３ａに記憶されている情報を図示しないタグリーダ（外部装置）などに無線送信するためのアンテナ１３ｂとを、１つのＩＣチップに内蔵してなる。
【００１７】
無線タグ１３のメモリ１３ａには、図２に示すように、ＣＣＤチップ１２の識別番号（ＩＤ番号）、製造番号（ＣＣＤＬｏｔ番号）、オーバフロードレイン電圧、リセット電圧、受光素子感度（ＣＣＤ感度）、欠陥画素個数（傷個数）、および欠陥画素アドレス（傷アドレス１、２、３、・・・）が記憶されている。
【００１８】
上記のように構成された固体撮像装置１０によれば、タグリーダなどを使用することにより、無線タグ１３のメモリ１３ａに記憶されているＣＣＤチップ１２に関する情報を無線通信により取得することができる。したがって、固体撮像装置１０をカメラや携帯電話機など機器に実装した後でも、ＣＣＤチップ１２に関する情報を取得することができる。
【００１９】
図３は本発明に係る固体撮像装置の別の構成例を示す断面図である。図３の固体撮像装置２０では、図１と同様の構成の無線タグ１３が、パッケージ１１の背面（下面）部に埋め込んで設けられている。このように、無線タグ１３をパッケージ１１に埋設した構成によっても、図１の場合と同様の効果を得ることができる。
【００２０】
図４〜図９は本発明に係る固体撮像装置の更に別の構成例を示す断面図であり、図４〜図９の構成例では、無線タグ１３が、メモリ１３ａを有するＩＣチップ部１３Ａと、メモリ１３ａに記憶されている情報を外部装置に無線送信するためのアンテナ１３ｂを有するアンテナ部１３Ｂとに分離されている。何れの構成例においても、ＩＣチップ部１３Ａは、ＣＣＤチップ１２と共にパッケージ１１の内底面１１ｂに固定されているが、アンテナ部１３Ｂの設置形態は各々異なっている。
【００２１】
図４の固体撮像装置３０では、アンテナ部１３Ｂがカバーガラス１４の内面に設置されている。カバーガラス１４は、受光角度を大きくとる目的で、あるいはＣＣＤチップ１２のワイヤボンディン用のスペースを確保するために、ＣＣＤチップ１２の受光面よりも面積の大きなものが使用されているので、ＣＣＤチップ１２への光入射角を考慮して、カバーガラス１４の周辺部にアンテナ部１３Ｂを配置することができる。ただし、この場合、アンテナ部１３Ｂの上面（カバーガラス１４との界面）と下面（ＣＣＤチップ１２側の面）には、反射防止処理を施しておくことが望ましい。カバーガラス１４との界面で反射が生じると、レンズフレアやゴーストを招くからであり、ＣＣＤチップ１２側の面に反射が発生しても、フレアやゴーストが発生する可能性がある。
る。
【００２２】
図５の固体撮像装置４０では、アンテナ部１３Ｂがパッケージ１１の前面（上面）部に埋め込んで設けられている。そして、アンテナ部１３Ｂは、パッケージ１１に接着されたカバーガラス１４によって覆われている。この構成は、パッケージ１１とカバーガラス１４との接着面が大きくとれる場合に有効である。ただし、この場合も、アンテナ部１３Ｂの上面（カバーガラス１４との界面）には、反射防止処理を施しておくことが望ましい。
【００２３】
図６の固体撮像装置５０では、アンテナ部１３Ｂがパッケージ１１の前面（上面）部に埋め込んで設けられている。この場合、アンテナ部１３Ｂがカバーガラス１４によって覆われていないので、アンテナ部１３Ｂの外側に破損防止のための保護層を設けておくことが望ましい。
【００２４】
図７の固体撮像装置６０では、アンテナ部１３Ｂがパッケージ１１の内部測壁１１ｃに設けられている。また、図８の固体撮像装置７０では、アンテナ部１３ＢがＩＣチップ部１３Ａと共にパッケージ１１の内底面１１ｂに設けられている。これらの場合も、アンテナ部１３Ｂに反射防止処理を施しておくことが望ましい。
【００２５】
図８の固体撮像装置７０では、アンテナ部１３Ｂが、パッケージ１１の背面（下面）部に埋め込んで設けられている。この場合、アンテナ部１３Ｂの外側に必要に応じて保護層を設けておくことが望ましい。
【００２６】
上記のように、無線タグ１３をＩＣチップ部１３Ａとアンテナ部１３Ｂとに分離したことにより、ＣＣＤチップ１２やＩＣチップ部１３Ａなどの設置位置に制約されることなく、アンテナ部１３Ｂを外部機器との無線通信に適した位置に配置することができる。
【００２７】
なお、上記の実施の形態では、無線タグ１３のＩＣチップ部１３ＡをＣＣＤチップ１２と共にパッケージ１１の内底面１１ｂに設けた例について説明したが、無線タグ１３のＩＣチップ部１３Ａの設置位置も、他の部品との位置関係に応じて適宜変更可能である。
【００２８】
また、上記の例では、無線タグ１３のメモリ１３ａに、図２に示すような、ＣＣＤチップ１２に関する詳細な部品情報が記憶されていることとしたが、無線タグ１３のメモリ１３ａには、ＣＣＤチップ１２を特定するために必要な情報、すなわち識別番号のみ記憶させてもよい。この場合、詳細な部品情報を格納したデータベースを構築しておくことにより、無線タグ１３から読み取った識別番号をキーにして、ＣＣＤチップ１２のオーバフロードレイン電圧、リセット電圧、受光素子感度、欠陥画素個数、欠陥画素アドレスなどを取得できる。
【００２９】
【発明の効果】
以上説明したように、本発明の固体撮像装置によれば、無線タグと無線通信することにより、無線タグの内部メモリに記憶されている撮像素子に関する情報を取得できるので、固体撮像装置を機器に実装した後でも、撮像素子に関する情報を取得することができる。
【図面の簡単な説明】
【図１】本発明に係る固体撮像装置の構成例を示す断面図である。
【図２】無線タグの内部メモリに記憶されている情報の内容を例示した図である。
【図３】本発明に係る固体撮像装置の別の構成例を示す断面図である。
【図４】本発明に係る固体撮像装置の更に別の構成例を示す断面図である。
【図５】本発明に係る固体撮像装置の更に別の構成例を示す断面図である。
【図６】本発明に係る固体撮像装置の更に別の構成例を示す断面図である。
【図７】本発明に係る固体撮像装置の更に別の構成例を示す断面図である。
【図８】本発明に係る固体撮像装置の更に別の構成例を示す断面図である。
【図９】本発明に係る固体撮像装置の更に別の構成例を示す断面図である。
【符号の説明】
１０：固体撮像装置
１１：パッケージ
１２：ＣＣＤチップ（撮像素子）
１３：無線タグ
１３Ａ：ＩＣチップ部
１３ａ：メモリ
１３Ｂ：アンテナ部
１３ｂ：アンテナ
１４：カバーガラス
２０：固体撮像装置
３０：固体撮像装置
４０：固体撮像装置
５０：固体撮像装置
６０：固体撮像装置
７０：固体撮像装置
【図１】
2004297613.tif 000003
【図２】
2004297613.tif 000004
【図３】
2004297613.tif 000005
【図４】
2004297613.tif 000006
【図５】
2004297613.tif 000007
【図６】
2004297613.tif 000008
【図７】
2004297613.tif 000009
【図８】
2004297613.tif 000010
【図９】
2004297613.tif 000011